(57)【要約】【課題】  水流に対するルアー本体の回転を抑え、魚の捕食本能を喚起する振動を水中で効果的に継続可能なスプーン形ルアーを提供する。【解決手段】  略楕円形の板体で設けられ中央部分が湾曲して凹部１６が形成されたルアー本体１２と、ルアー本体１２の湾曲の膨らんだ側の側面に設けられルアー本体１２の長手方向に沿って立設された整流用の板状の１本のフィン２２とを備える。ルアー本体１２の長手方向の一端部に釣針取付穴２４を有し、反対の端部に釣糸取付穴１８を備える。フィン２２のルアー本体１２の長手方向に対して略直角方向から見た形状は、ルアー本体１２の膨出した側面に沿う曲線状に形成されている。【選択図】図１
2005229941.tif 000002
【特許請求の範囲】
【請求項１】
略楕円形の板体状に形成され中央部分が湾曲して凹部が形成されたルアー本体と、上記ルアー本体の上記湾曲の膨らんだ側の側面に設けられ上記ルアー本体の長手方向に沿って立設された整流用の板状のフィンと、上記ルアー本体の長手方向の一端部に形成された釣針取付部と、上記ルアー本体の長手方向の反対の端部に設けられた釣糸取付部が設けられていることを特徴とするスプーン形ルアー。
【請求項２】
上記フィンは、上記ルアー本体の長手方向に沿う中心線に対して対称に一本または複数本設けられ、上記フィンの上記ルアー本体の長手方向に対して略直角方向から見た形状は、上記ルアー本体の膨出した側面に沿う曲線で形成されていることを特徴とする請求項１記載のスプーン形ルアー。
【請求項３】
上記釣糸取付部は、上記フィンの端部付近に貫通された釣糸取付穴であり、上記フィンの上記釣針取付穴が設けられた端部は、上記ルアー本体から外側へ突出し、上記フィンの上記ルアー本体から突出した部分は円弧状に丸められていることを特徴とする請求項１記載のスプーン形ルアー。
【発明の詳細な説明】
【技術分野】
【０００１】
この発明は、魚釣りに用いるルアーであり、略スプーンのような形状をしたスプーン形ルアーに関する。
【背景技術】
【０００２】
従来のスプーン形ルアーは、スプーンの形をした金属製のルアー本体と、ルアー本体に連結された釣針とを有している。このルアー本体は、例えば、真鍮、ステンレス、アルミニウム等の単一の金属製板材料を打ち抜いて所定の形状に加工したものである。多くのスプーン形ルアーは、打ち抜いた金属製板材料にカップと呼ばれる窪みを設け、全体にカーブを付けることで、水中をひらひらと揺れながら落ちていくように作られている。このようなスプーン形ルアーは、釣り糸の先端に取り付け、リールの付いた竿で魚のいる場所に飛ばして用いる。スプーン形ルアーは、着水後はひらひらと水中に沈み、このとき食魚性の強い魚に有効にアピールする。その後、完全に底に沈む前に、リールに糸を巻き取ってスプーン形ルアーをたぐり寄せる。そのときもスプーン形ルアーは水の抵抗を受けて左右上下に動き、魚の注意を引く。
【０００３】
国内では、スプーン形ルアーの釣りは、１９６０年代から湖でのニジマスやイワナを釣るための手段として多く使われてきた。近年のレジャーとしてのルアーフィッシングでは、むしろ他のタイプのルアーが多用されている。
【０００４】
また、スプーン形ルアーには、特許文献１に示すように、ルアー本体にプラスチックの貼着部が設けられたものや、特許文献２に示すように、ルアー本体から突出するリップ部が設けられたもの等、いろいろな種類があるが、いずれも上記スプーン形ルアーと同様の機能のものである。
【特許文献１】特開平１１−２９９３９５号公報
【特許文献２】特開２０００−３００１１９号公報
【発明の開示】
【発明が解決しようとする課題】
【０００５】
上記従来のスプーン形ルアーの場合、着水後ルアー本体がある程度水中に沈んでからリールで糸を巻き取る時、図７，図８に示すように、ルアー本体２が水の抵抗を受けて激しく回転してしまうという問題がある。激しい回転は釣糸のねじれをもたらし、そのねじれはやがて糸全体のらせん状ねじれを引き起こすことになる。このような状態になると、針の先と竿の間が直線でなくなり、糸の実際の長さがスプーン形ルアーまでの直線距離よりも長くなり、魚の食いついた感覚が得られにくくなる。また糸のらせん状ねじれは、ルアーの飛距離を著しく損なうものであり、さらに進むと、糸がリールの各部に絡み付くようになり、釣りを続けることができなくなる。このため、スプーン形ルアーは止水域での使用が中心となり、流水域に適さないものであった。
【０００６】
さらに、図９に示すように、ルアー本体２の着水後急速に糸を巻き取る釣り方の場合、早い段階で水の流れによる揚力や浮力によるバランスを崩して、ルアー本体２が水面に飛び出し激しく回転してしまうという問題もあった。
【０００７】
この発明は、上記従来の技術の問題点に鑑みてなされたものであり、水流に対するルアー本体の回転を抑え、魚の捕食本能を喚起する振動を水中で効果的に継続可能なスプーン形ルアーを提供することを目的とする。
【課題を解決するための手段】
【０００８】
本発明は、略楕円形の板体状に形成され中央部分が湾曲して凹部が形成されたルアー本体と、上記ルアー本体の上記湾曲の膨らんだ側の側面に設けられ上記ルアー本体の長手方向に沿って立設された整流用の板状のフィンと、上記ルアー本体の長手方向の一端部に形成された釣針取付部と、上記ルアー本体の長手方向の反対の端部に設けられた釣糸取付部が設けられているスプーン形ルアーである。上記ルアー本体は、上記釣針取付部が設けられた端部は直径が大きい円弧で形成され、この釣針取付部が設けられた端部付近から離れるに従い上記ルアー本体の幅が狭くなり、反対側の上記釣糸取付部が設けられた端部は直径が小さい円弧で形成されている。
【０００９】
また、上記フィンは、上記ルアー本体の長手方向に沿う中心線上に一本設けられ、上記フィンの上記ルアー本体の長手方向に対して略直角方向から見た形状は、上記ルアー本体の膨出した側面に沿う曲線状に形成されている。さらに、上記釣針取付部側のフィンの高さは、上記釣糸取付部側のフィンの高さより高い形状に形成されている。なお、上記フィンは、複数本が上記側面の長手方向に沿う中心線を挟んで形状・質量ともに対称に設けられてもよい。
【００１０】
また、上記釣糸取付部は、上記フィンの端部付近の上記ルアー本体に貫通された釣糸取付穴であり、上記フィンの上記釣針取付部が設けられた端部は、上記ルアー本体から外側へ突出し、上記フィンの上記ルアー本体から突出した部分は円弧状に丸められている。上記釣針取付部は、上記ルアー本体に貫通された釣針取付穴であっても良い。
【発明の効果】
【００１１】
本発明のスプーン形ルアーは、水流を整流してルアー本体の回転を抑止し、釣糸のよじれを防ぎ円滑にルアー本体を泳動させて釣りを行うことができる。これにより、水流のある所でも、このルアーを利用して効果的に釣りをすることができる。
【発明を実施するための最良の形態】
【００１２】
以下、この発明の実施形態について図面に基づいて説明する。図１、図２はこの発明の一実施形態を示すもので、この実施形態のスプーン形ルアー１０は、金属製の板体で作られたルアー本体１２が設けられている。ルアー本体１２は、扁平な楕円形であり、長手方向の一方の端部１２ａは、直径が大きい円弧で形成され、端部１２ａ付近から離れるに従いルアー本体１２の幅が狭くなり、反対側の端部１２ｂは直径が小さい円弧で形成されている。
【００１３】
ルアー本体１２は、その長手方向の中心よりも端部１２ａ寄りの位置で、ルアー本体１２の一方の側面１４が谷となるようにわずかに湾曲され、さらに側面１４の谷となる部分を中心として、長手方向に直角な方向の中心が一番深くなるようにさらに湾曲され、ゆるやかな凹部１６が形成されている。ルアー本体１２の端部１２ｂの少し中心側には、後述する釣糸３２の取付部である釣糸取付穴１８が設けられている。
【００１４】
ルアー本体１２の、側面１４の反対側であり凹部１６により膨出する外側の側面２０には、ルアー本体１２の長手方向に沿う中心線に沿って板状のフィン２２が一体に立設されている。フィン２２の、ルアー本体１２の長手方向に対して直角方向であってルアー本体１２の側面２０に沿う方向から見た形状は、ルアー本体１２の側面２０の湾曲に沿う曲線状に形成されている。フィン２２の、ルアー本体１２の端部１２ｂ側は、釣糸取付穴１８近傍で、なだらかに低くなって側面２０と面一になっている。フィン２２の、ルアー本体１２の端部１２ａ側は、端部１２ａを越えて外側に所定長さ突出している。突出した部分は、円弧状に丸められ、フィン２２の下端部がルアー本体１２の反対側の側面１４と面一になっている。ルアー本体１２の端部１２ａ側の端部付近には、後述する釣針２８を取り付ける透孔である釣針取付穴２４が形成されている。
【００１５】
次にこの実施形態のスプーン形ルアー１０の使用方法について説明する。まず、釣針取付穴２４に、取付環２６を介して釣針２８を取り付ける。釣針２８は、先端が３本に分かれているもの等適宜の形状を選択する。釣糸取付穴１８には、取付環３０を介して釣糸３２を取り付ける。
【００１６】
そして、スプーン形ルアー１０の重みを利用して所定のポイントに、このスプーン形ルアー１０をキャスティングする。すると、図４に示すように、スプーン形ルアー１０のフィン２２がバランサーウエイトとして機能するため、フィン２２が付いた側面２０を下にした状態で水中に沈む。そのあと、釣糸３２を巻いてスプーン形ルアー１０を引くと、側面２０側の水が整流されるとともに回転しようとする力に対してフィン２２が水中での抵抗となり、ルアー本体１２の釣糸３２を中心とする回転が抑止され、ほぼ直線上で泳動する。
【００１７】
さらに、図５に示すように、ルアー本体１２の着水後急速に糸を巻き取る方法の場合も、水面の直下でフィン２２を下にして、バランス良く左右に揺れながらスプーン形ルアー１０が移動する。
【００１８】
この実施形態のスプーン形ルアー１０は、凹部１６が設けられているため、そこに水の抵抗を受けることにより、図３〜図５に示すように、フィン２２を下にした状態でバランス良く左右に揺れながら水中を移動する。そして、スプーン形ルアー１０が水中を沈むときや水平に泳動するとき、食魚性の魚の興味を引き、釣針２８に魚がかかったところを確実に釣り上げることができる。
【００１９】
以下に、このスプーン形ルアー１０の使用対象となりうる魚種の一例を記す。
(1)湖（冷水）：イワナ、ニジマス、ブラウントラウト、サクラマス、レイクトラウト、ヒメマス、スモールマウスバス
(2)温水湖沼：ラージマウスバス、ナマズ、ハス
(3)河川（上流）：イワナ、ヤマメ、ニジマス、ブラウントラウト、ブルックトラウト
(4)河川（中流）：サクラマス、サーモン、ナマズ
(5)河川（下流）：スズキ、マルタ、ニゴイ
(6)海（浜）：ヒラメ、コチ
(7)港内外：スズキ、メッキアジ、カマス、メバル等
(8)沖：シイラ、ヒラマサ、カンパチ、ブリ、マグロ、カジキ、トレバリー、ターポン、バラクーダ
この実施形態のスプーン形ルアー１０によれば、簡単な構造で高い整流効果を有し、回転を抑止して、良好に釣りをすることができ、釣糸のよじれを防ぎ、スプーン形ルアーの動きや魚が食いついた感覚を確実に得ることができる。さらに、釣糸のよじれを防ぐことから、キャスティング時のルアーの飛距離は短くならず、またリールにも円滑に巻き取られる。このスプーン形ルアー１０は、高速での糸巻き時にも回転せず安定しているため、止水域での使用に限定されず、水の流れが速い流水域等でも使用することができる。従って、流水域でのフォールや流れを横切ってルアーを引くクロスストリーム、海水域の高速回遊魚に対しての高速リトリーブ（時速３０ｋｍ前後）、トローリング（時速３０ｋｍ以上）等にも使用することができる。
【００２０】
なお、この発明のスプーン形ルアーは上記実施の形態に限定されるものではなく、各部材の形状や素材等、適宜変更可能である。上記フィンは、図６に示すように、ルアー本体１２の中心線に対して対称に２本のフィン２２が形成されたものでも良い。また、２本のフィン２２が互いに平行なものの他、対称に斜めに配置されていても良く、中心に１本と両側に対称に複数のフィンが形成されたものでも良い。従って、１または複数本のフィン２２がルアー本体１２の側面２０の長手方向に沿う中心線を挟んで対称に設けられていれば良く、その形状や配置は問わない。
【００２１】
また、ルアー本体の厚みや形状、素材は、釣る対象となる魚の種類や周囲の状況に合わせて適宜変更することができる。例えば、材質は、金属以外に樹脂や金属と樹脂の複合製品でも良い。このスプーン形ルアー表面の色や模様も、適宜設定することができ、スプーン形ルアーに取り付ける釣針や釣糸も、対象となる魚の種類や周囲の状況に合わせて選択することができる。
【図面の簡単な説明】
【００２２】
【図１】この発明の一実施形態のスプーン形ルアーの使用状態を示す斜視図である。
【図２】この実施形態のスプーン形ルアーの平面図（ａ）、正面図（ｂ）、右側面図（ｃ）である。
【図３】この実施形態のスプーン形ルアーの使用状態を示す平面図である。
【図４】この実施形態のスプーン形ルアーの使用状態を示す側面図である。
【図５】この実施形態のスプーン形ルアーの他の使用状態を示す側面図である。
【図６】この発明の他の実施形態のスプーン形ルアーを示す平面図である。
【図７】従来のスプーン形ルアーの使用状態を示す平面図である。
【図８】従来のスプーン形ルアーの使用状態を示す側面図である。
【図９】従来のスプーン形ルアーの他の使用状態を示す側面図である。
【符号の説明】
【００２３】
１０  スプーン形ルアー
１２  ルアー本体
１４，２０  側面
１６  凹部
１８  釣糸取付穴
２２  フィン
２４  釣針取付穴
２６，３０  取付環
２８  釣針
３２  釣糸
【図１】
2005229941.tif 000003
【図２】
2005229941.tif 000004
【図３】
2005229941.tif 000005
【図４】
2005229941.tif 000006
【図５】
2005229941.tif 000007
【図６】
2005229941.tif 000008
【図７】
2005229941.tif 000009
【図８】
2005229941.tif 000010
【図９】
2005229941.tif 000011